(57)【要約】【課題】ライ角などを容易に調整でき、ヘッドとシャフトとの固定が強固で安定したゴルフクラブを提供する。【解決手段】ヘッド本体２を貫通し内径がソール４側に向けて拡径するテーパ孔８を有するヘッドＨと、テーパ孔８にホーゼル７側から挿入されたシャフトＳの先端部に接着される抜け止めパーツ２０と、抜け止めパーツ２０を外側から包囲し且つ外形が底広形で上端に合体時（１０）に連続した雄ネジ部１５を形成する一対の角度調整パーツ１１ａ，１１ｂと、係るパーツ１１ａ，１１ｂが抜け止めパーツ２０と共にヘッドＨのテーパ孔８にソール４側から挿入された際にヘッドＨのホーゼル７上方に位置する雄ネジ部１５にネジ結合する固定ナット２６とを含み、角度調整パーツ１１ａ，１１ｂは、合体時（１０）にシャフトＳと抜け止めパーツ２０を包囲するための底広凹部Ｃ１を内設し、且つ取替可能な複数組が用意されている、ゴルフクラブ１。【選択図】  図１
2006042950.tif 000002
【特許請求の範囲】
【請求項１】
ヘッド本体におけるヒール側のホーゼルからソールに向けて貫通し且つ内径がソール側に向かって拡径するテーパ孔を有するゴルフクラブヘッドと、
上記ヘッドのテーパ孔にホーゼル側から挿入されたシャフトの先端部に接着される筒形の本体、および係る本体の先端に位置し且つ上記シャフトの外径よりも大径のリング部を備える抜け止めパーツと、
上記抜け止めパーツを外側から包囲し且つ外形が底広形で上端に合体時に連続した雄ネジ部を形成する一対の角度調整パーツと、
上記一対の角度調整パーツが上記抜け止めパーツと共に上記ヘッドのテーパ孔にソール側から挿入された際に、上記ヘッドのホーゼル上方に位置する上記雄ネジ部にネジ結合する固定ナットと、を含み、
上記一対の角度調整パーツは、合体時に上記シャフトの先端部および抜け止めパーツを包囲するための底広凹部を内設すると共に、係る底広凹部の中心軸が上記シャフトの中心軸と一致する組と一致しない単数または複数の組とからなる複数組が用意されている、
ことを特徴とするゴルフクラブ。
【請求項２】
前記一対の角度調整パーツは、合わせ面に互いに嵌合可能な突起およびこれを受け入れる凹みの何れかが設けられている、
ことを特徴とする請求項１に記載のゴルフクラブ。
【請求項３】
前記抜け止めパーツにおける前記筒形の本体の外側面と、前記一対の角度調整パーツに内設される底広凹部の内壁面とには、上記抜け止めパーツの回転を阻止するための凸条およびこれを受け入れる凹溝が形成されるか、あるいは、互いに面接触可能な断面非円形の接触面がそれぞれ形成されている、
ことを特徴とする請求項１または２に記載のゴルフクラブ。
【請求項４】
前記一対の角度調整パーツにおける何れか一方の外側面と、前記ヘッドのテーパ孔の内壁面とには、上記一対の角度調整パーツの回転を阻止するための凸条およびこれを受け入れる凹溝が形成されるか、あるいは、互いに面接触可能な断面非円形の接触面がそれぞれ形成されている、
ことを特徴とする請求項１乃至３何れか一項に記載のゴルフクラブ。
【発明の詳細な説明】
【技術分野】
【０００１】
本発明は、ゴルファーの体形、技量、あるいは好みに応じて、ライ角、フェイス角、およびロフト角の少なくとも一つを容易に調整することができるゴルフクラブに関する。
【背景技術】
【０００２】
ドライバーやフェアウェイウッドと称されるウッドは、シャフトとヘッドのソールとの間の角度であるライ角、シャフトの中心線に対するヘッドのフェース面の傾きであるロフト角、およびフェース面とシャフトの中心線との角度であるフェース角が、一般に一つの角度に設定されている。
一方、アドレス状態においてゴルファーがグリップする位置は、当該ゴルファーの身長や腕の長さなどの体形、あるいはゴルファーの技量向上によって左右されるため、例えば上記ライ角を体形や技量などに応じて変更できるよう調整したくなる場合が往々にして生じる。
【０００３】
そこで、ライ角、ロフト角、フェース角を調整可能としたゴルフクラブとして、シャフトの中心軸に対して約３度傾斜可能なインサートを当該シャフトの先端に嵌合し、且つ係るシャフトとインサートとをヘッドの内部ホーゼルに挿入して固定するゴルフクラブ調整デバイスが提案されている（例えば、特許文献１参照）。
また、ヘッドのヒール側に設けたシャフト角度調整ケース内にシャフトの先端部を挿入し、当該シャフトと上記ケースとの間に接着剤を充填し且つゴム製の移動阻止体を収容した状態で、上記シャフトを固定する角度調整可能ゴルフクラブも提案されている（例えば、特許文献２参照）。上記移動阻止体には、ライ角度調節片とフェイス角度調節片とが形成されている。
【０００４】
【特許文献１】特開２００２−１５３５７４号公報（第１〜１０頁、図８）
【特許文献２】特開２００４−２４２９３号公報（第１〜９頁、図１）
【０００５】
しかしながら、特許文献１，２に開示されたゴルフクラブでは、前記インサートの周面に設けた環状凹み部にロッキング部材（ボルト）の先端を径方向から当接させたり、あるいは、前記シャフト角度調整ケースのネジ孔を螺合ししつ貫通する調整ネジの先端をシャフトの周面に径方向から当接することで、シャフトとヘッドとを固定している。このため、後端部がヘッドのヒール側に突出する上記ロッキング部材や調整ネジが、例えば不用意な外力などの何らかの原因で緩むと、せっかく調整したライ角などが解消されてしまう、という問題があった。
また、特許文献２のゴルフクラブのように、角度調整ケース内でシャフトを接着すると、次に角度調整する場合、接着剤を加熱する作業や残った接着剤を削り落とすための作業が必要となっていた。
【発明の開示】
【発明が解決しようとする課題】
【０００６】
本発明は、前記背景技術における問題点を解決し、ライ角やフェイス角などを容易に調整でき、ヘッドとシャフトとの固定が強固で安定すると共に、再調整する際に接着剤の除去作業を要しないゴルフクラブを提供する、ことを課題とする。
【課題を解決するための手段および発明の効果】
【０００７】
本発明は、上記課題を解決するため、シャフトの先端部をヘッドのヒール側で貫通するテーパ孔内で角度を変更可能としつつ強固且つ安定して固定できるようにする、ことに着想して成されたものである。
即ち、本発明のゴルフクラブ（請求項１）は、ヘッド本体におけるヒール側のホーゼルからソールに向けて貫通し且つ内径がソール側に向かって拡径するテーパ孔を有するゴルフクラブヘッドと、係るヘッドのテーパ孔にホーゼル側から挿入されたシャフトの先端部に接着される筒形の本体、および係る本体の先端に位置し且つ上記シャフトの外径よりも大径のリング部を備える抜け止めパーツと、係る抜け止めパーツを外側から包囲し且つ外形が底広形で上端に合体時に連続した雄ネジ部を形成する一対の角度調整パーツと、係る一対の角度調整パーツが上記抜け止めパーツと共に上記ヘッドのテーパ孔にソール側から挿入された際に、上記ヘッドのホーゼル上方に位置する上記雄ネジ部にネジ結合する固定ナットと、を含み、上記一対の角度調整パーツは、合体時に上記シャフトの先端部および抜け止めパーツを包囲するための底広凹部を内設すると共に、係る底広凹部の中心軸が上記シャフトの中心軸と一致する組と一致しない単数または複数の組とからなる複数組が用意されている、ことを特徴とする。
【０００８】
これによれば、ヘッドのテーパ孔に挿入されるシャフトとその先端部に接着された抜け止めパーツとは、一対の角度調整パーツに包囲され且つ係る一対のパーツが合体した角度調整体の中心軸と同軸心とされるか、または当該調整体の中心軸に対し約０．５〜３度傾いた状態となると共に、係る状態で上記調整体のホーゼル上方に位置する雄ネジ部に固定ナットがネジ結合される。また、抜け止めパーツおよび一対の角度調整パーツが合体した調整体は、ヘッドのテーパ孔内に位置し且つ外部に突出したり露出しないと共に、上記一対の角度調整パーツが合体した角度調整体は底広形の外形であるため、上記テーパ孔にフィットしつつ嵌合した状態で固定ナットによりヘッド本体に締め付けられる。このため、不用意に上記一対の角度調整パーツが緩んでガタ付かず、ヘッドとシャフトとを所望のライ角やフェイス角などに調整した状態で、強固に固定でき且つ安定したゴルフクラブとなる。しかも、シャフトの先端部に接着した抜け止めパーツは、再調整する際に外す必要がなく、従来のような接着剤の除去作業も不要となる。
【０００９】
付言すれば、前記ゴルフクラブは、ヘッド本体におけるヒール側のホーゼルからソールに向けて貫通し且つ内径がソール側に向かって拡径するテーパ孔を有するゴルフクラブヘッドと、係るヘッドのテーパ孔にホーゼル側から挿入されたシャフトの先端部に接着される筒形の本体、および係る本体の先端に位置し且つ上記シャフトの外径よりも大径のリング部を備える抜け止めパーツと、係る抜け止めパーツを外側から包囲し且つ外形が底広形で上端に合体時に連続した雄ネジ部を形成する一対の角度調整パーツと、係る一対の角度調整パーツが上記抜け止めパーツと共に上記ヘッドのテーパ孔にソール側から挿入された際に、上記ヘッドのホーゼル上方に位置する上記雄ネジ部にネジ結合する固定ナットと、を含み、上記一対の角度調整パーツは取替可能である、とすることも可能である。
尚、前記ゴルフクラブには、ウッド（ドライバー、フェアウェイウッド）などに限らず、上記抜け止めパーツや角度調整パーツが適用可能なアイアンも含まれる。また、前記ヘッドには、例えばチタン合金などを精密鋳造したウッドなどの他、チタン合金板またはステンレス鋼板を溶接などで組み立てたウッドなど、あるいは、パーシモンなどからなるウッドも含まれる。
【００１０】
また、本発明には、前記一対の角度調整パーツは、合わせ面に互いに嵌合可能な突起およびこれを受け入れる凹みの何れかが設けられている、ゴルフクラブ（請求項２）も含まれる。これによれば、一対の角度調整パーツを所定の底広凹部を内蔵させつつ容易に位置合わせして合体でき、前記ヘッドのテーパ孔にフィットする底広形の外形を有する角度調整体に組み立てることができる。
【００１１】
更に、本発明には、前記抜け止めパーツにおける前記筒形の本体の外側面と、前記一対の角度調整パーツに内設される底広凹部の内壁面とには、上記抜け止めパーツの回転を阻止するための凸条およびこれを受け入れる凹溝が形成されるか、あるいは、互いに面接触可能な断面非円形の接触面がそれぞれ形成されている、ゴルフクラブ（請求項３）も含まれる。
これによれば、シャフトの先端部に接着された抜け止めパーツは、一対の角度調整パーツに包囲され、且つ係る一対のパーツが合体した角度調整体の中心軸と同軸心されるか、所望の角度で傾斜した状態で、前記角度調整体の底広凹部内で回転不能にして拘束される。このため、所望のライ角などに調整した状態を確実に保ち易くすることができる。
【００１２】
加えて、本発明には、前記一対の角度調整パーツにおける何れか一方の外側面と、前記ヘッドのテーパ孔の内壁面とには、上記一対の角度調整パーツの回転を阻止するための凸条およびこれを受け入れる凹溝が形成されるか、あるいは、互いに面接触可能な断面非円形の接触面がそれぞれ形成されている、ゴルフクラブ（請求項４）も含まれる。
これによれば、シャフトの先端部および抜け止めパーツをその底広凹部内に内蔵して包囲した一対の角度調整パーツが合体した角度調整体と、ヘッド本体のテーパ孔とが回転不能になるため、所望のフェイス角に調整したヘッドとシャフトとを強固且つ安定した状態で保ち易くなる。
【発明を実施するための最良の形態】
【００１３】
以下において、本発明を実施するための最良の形態について説明する。
図１は、本発明のゴルフクラブ１を示す一部に垂直断面を含む正面図である。
ゴルフクラブ１は、図１に示すように、ゴルフクラブヘッド（以下、ヘッドと称する）Ｈと、係るヘッドＨのヒール６側のホーゼル７からソール４側に向かって拡径するテーパ孔８に先端部が挿入されるシャフトＳと、係るシャフトＳの先端部に接着される抜け止めパーツ２０と、係る抜け止めパーツ２０を包囲し且つ上記テーパ孔８内に嵌合される角度調整体１０と、その上端部の雄ネジ部１５にネジ結合する固定ナット２６と、を含む。
ヘッドＨは、例えば、チタン合金を精密鋳造した中空部ｎを内蔵する中空体であり、図１に示すように、フェース３、ソール４、クラウン５、ヒール６、ホーゼル７、およびバックフェース（図示せず）からなり、テーパ孔８の内壁面には、中空部ｎに連通する縦長の凹溝９が形成されている。
【００１４】
角度調整体１０は、図３中の斜視図および図４の側面図に示すように、一対の角度調整パーツ１１ａ，１１ｂからなる。係る一対のパーツ１１ａ，１１ｂは、例えばチタン合金またはアルミニウム合金の鋳造材からなり、ほぼ半円錐形状で底広形の側壁１２、その底面を覆う半円形の底壁１３、側壁１２の上方に同軸心で立設し且つ外側に半割の雄ネジ部１５ａ，１５ｂを有する半円筒部１４、およびこれらに囲まれた底広凹部ｃからなる。各側壁１２の傾斜は、前記ヘッドＨのテーパ孔８の傾斜とほぼ同じである。
図３，４に示すように、当該一対のパーツ１１ａ，１１ｂの内側に位置する対称な底広凹部ｃの内壁面の中程には、垂直な凹溝１７がそれぞれ形成されている。尚、底広凹部ｃの底壁１３寄りには、リング状の隙間が位置している。
【００１５】
また、図３に示すように、一方のパーツ１１ａの側壁１２の外側面には、前記ヘッドＨのテーパ孔８内の凹溝９に進入可能な凸条１６が突設されている。更に、図４に示すように、一対の角度調整パーツ１１ａ，１１ｂの合わせ面の下部には、前者にほぼ円柱形を呈する２つの突起１８が、後者にこれを受け入れるほぼ円柱形に凹む２つの凹み１９が形成され、当該パーツ１１ａ，１１ｂの位置合わせを容易化している。更に、図４に示すように、一対の角度調整パーツ１１ａ，１１ｂの中心軸と、それらの各底広凹部ｃの中心軸とは、同軸心とされている。
【００１６】
更に、抜け止めパーツ２０は、図３下方の外観図と縦断面図とで示すように、円筒形（筒形）の本体２１と、係る本体２１の先端（下端）に位置する大径のリング部２２と、本体２１の外側面に対称に突設された一対の凸条２３と、を一体に有するチタン合金またはアルミニウム合金の鋳造材または溶接組立品である。リング部２２の外径は、前記シャフトＳの外径よりも大で、且つ前記パーツ１１ａ，１１ｂのリング状の隙間に挿入可能である。
図１，図３に示すように、抜け止めパーツ２０は、前記シャフトＳの先端部に、接着剤を介して本体２１内の中空部２４に当該シャフトＳの先端部を受け入れることで接着される。また、中空部２４およびリング部２２を有することにより、当該抜け止めパーツ２０をシャフトＳに接着する位置が正確となる。
また、固定ナット２６は、ステンレス鋼またはチタン合金からなり、図１，図３に示すように、円筒形のナット本体２７を雌ネジ（孔）２８が貫通している。尚、ナット本体２７の外側面には、図示しない滑り止めが形成されている。
【００１７】
以上の構成材からなるゴルフクラブ１は、次のようにして組み立てられる。
先ず、図３に示すように、ヘッドＨのテーパ孔８にホーゼル７側から挿入し且つソール４側に貫通させたシャフトＳの先端部に、抜け止めパーツ２０を接着する。この際、抜け止めパーツ２０における一対の凸条２３は、図３の中程で示すように、ヘッドＨのフェース３とほぼ平行な姿勢とされる。
次に、図３に示すように、シャフトＳの先端部に接着された前記抜け止めパーツ２０を包囲するように、一対の角度調整パーツ１１ａ，１１ｂを、これらの合わせ面の突起１８と凹み１９とを嵌合することで合体し、図１に示すように、全体がほぼ円錐形の角度調整体１０を形成する。
【００１８】
この際、角度調整体１０の上端部では、一対の前記パーツ１１ａ，１１ｂにおける半割の雄ネジ部１５，１５ｂにより、連続した一つの雄ネジ部１５が形成され、一対の半円筒部１４の内側をシャフトＳが貫通する。また、角度調整体１０の内側に形成されるほぼ円錐形の底広凹部Ｃ１内において、図５に示すように、一対の前記パーツ１１ａ，１１ｂの各凹溝１７に、抜け止めパーツ２０の各凸条２３が嵌合される。この結果、抜け止めパーツ２０は、角度調整体１０に対して回転不能となる。同時に、抜け止めパーツ２０の凸条２３の下端付近に位置するリング部２２は、底壁１３寄りのリング状の隙間内に進入し、軸方向への抜け止め作用を果たす。尚、図５は、図１中のＸ−Ｘ線の矢視に沿った断面図である。
次いで、先端部に接着した抜け止めパーツ２０とこれを包囲した一対の上記パーツ１１ａ，１１ｂからなる角度調整体１０とを有するシャフトＳを、図１に示すように、ヘッドＨのテーパ孔８にホーゼル７側に引き上げる。この際、図５に示すように、テーパ孔８の凹溝９に、前記パーツ１０ａの凸条１６が進入するようにする。この結果、角度調整体１０は、ヘッドＨに対して回転不能となる。
【００１９】
そして、図１に示すように、ヘッドＨのホーゼル７の上側に突出した角度調整体１０の雄ネジ部１５に、予めシャフトＳに貫通させた固定ナット２６の雌ネジ２８をネジ結合させる。この結果、シャフトＳの先端部に接着した抜け止めパーツ２０と角度調整体１０とは、テーパ孔８内で上向きに引き上げられ、且つ角度調整体１０はテーパ孔８の内壁面にフィットしつつ嵌合される。
この際、角度調整体１０を形成する前記パーツ１１ａ，１１ｂとそれらの底広凹部ｃとは、互いに同軸心であるので、シャフトＳの中心線は、テーパ孔８と同軸心となる。このため、図１に示すように、シャフトＳは、ソール４との間で、ヘッドＨのホーゼル７に付された本来のライ角αを形成する。
この結果、図１に示すようなゴルフクラブ（ドライバー）１が組み立てられる。
【００２０】
次に、例えばゴルファーの身長を考慮して、図２に示すように、前記ライ角αをやや大きく調整する場合について説明する。
先ず、固定ナット２６を緩めて、角度調整体１０の雄ネジ部１５から外し、先端部の抜け止めパーツ２０および角度調整体１０と共に、シャフトＳの先端部をヘッドＨのソール４側に下降させる。ヘッドＨのソール４よりも下方に移動した角度調整体１０を、一対の前記パーツ１１ａ，１１ｂに分解して除去する。
次いで、図６に示すように、一対の角度調整パーツ１１ｃ，１１ｄを用意する。係るパーツ１１ｃ，１１ｄは、前記と同様の側壁１２、底壁１３、半円筒部１４、および半割の雄ネジ部１５ａ，１５ｂを備えている。
【００２１】
但し、図６に示すように、各角度調整パーツ１１ｃ，１１ｄの内側には、当該パーツ１１ｃ，１１ｄの中心軸に対して、上端を中心として図示で反時計方向に約０．５度から３度傾斜した中心軸を有する底広凹部Ｃ２が、対称にそれぞれ形成されている。また、係る底広凹部Ｃ２の中心軸と平行に、凹溝１７が形成されている。更に、底広凹部Ｃ２の底壁１３に沿って、抜け止めパーツ２０のリング部２２を受け入れるリング状の隙間が位置している。
尚、図６は、上記各パーツ１１ｃ，１１ｄのうち、前者を例示したものであり、両者の会わせ面には、前記同様の凹み１９と突起１８との何れか一方が形成されていると共に、一方のパーツ１１ｃの側壁１２の外側面には、前記と同様の凸条１６が突設されている。
【００２２】
図２に示すように、シャフトＳの先端部に接着されている抜け止めパーツ２０を包囲するように、一対の角度調整パーツ１１ｃ，１１ｄを前記同様に合体して、角度調整体１０ａを形成する。この結果、前記同様にして、一対の半割の半円筒部１４の外側に連続した一つの雄ネジ部１５が形成され、且つ一対の円筒部１４の内側をシャフトＳが貫通する。
同時に、角度調整体１０ａの内側に形成されるほぼ円錐形の底広凹部Ｃ２内において、前記同様に、一対の前記パーツ１１ｃ，１１ｄの各凹溝１７に、抜け止めパーツ２０の各凸条２３が嵌合され、抜け止めパーツ２０は、角度調整体１０ａに対して回転不能となる。尚、抜け止めパーツ２０のリング部２２は、底広凹部Ｃ２下部におけるリング状の隙間内に進入し、抜け止め作用を果たす。
【００２３】
この際、図２に示すように、角度調整体１０ａの中心軸に対して、シャフトＳの中心軸は、図示で半時計方向に約０．５度から３度傾斜した状態となる。
係る状態で、先端部の抜け止めパーツ２０とこれを包囲した角度調整体１０ａとを有するシャフトＳを、図２に示すように、ヘッドＨのテーパ孔８にホーゼル７側に引き上げる。この際、図示のように、テーパ孔８の凹溝９内に、前記パーツ１１ｃの凸条１６を進入させる。この結果、角度調整体１０ａは、ヘッドＨに対して回転不能となる。
【００２４】
そして、図２に示すように、ヘッドＨのホーゼル７の上側に突出した角度調整体１０ａの雄ネジ部１５に、先に外されていた前記固定ナット２６の雌ネジ２８をネジ結合させる。この結果、シャフトＳの先端部に接着した抜け止めパーツ２０と角度調整体１０ａとは、テーパ孔８内で上向きに引き上げられ、且つ角度調整体１０ａはテーパ孔８の内壁面にフィットしつつ嵌合される。
この際、角度調整体１０ａを形成する前記パーツ１１ｃ，１１ｄとそれらにより形成される底広凹部Ｃ２とは、前記のよう僅かに傾いているので、シャフトＳは、テーパ孔８の中心軸に対して、図２で反時計方向に傾斜する。
【００２５】
このため、図２に示すように、シャフトＳは、ソール４との間で、前記図１のライ角αよりも約０．５〜３度大きなライ角αを形成する。この結果、図２に示すように、ライ角αを大きめに調整されたゴルフクラブ（ドライバー）１を素人でも容易に組み立てられる。
以上のように、角度調整体１０を角度調整体１０ａに取り替えるだけで、ライ角αを所望の角度に容易に調整できると共に、従来のような接着剤の除去作業も不要となる。しかも、係る調整後において、角度調整体１０ａが緩んだりガタ付かず、ヘッドＨに強固に固定されるため、その後のプレーも安心して行える。
【００２６】
図７は、前記角度調整体１０ａを、同図中の垂直方向を中心として１８０度回転させた角度調整体１０ｂの断面を示し、前記と逆向きに傾斜した底広凹部Ｃ３が内蔵されている。係る角度調整体１０ｂを、シャフトＳの先端部における前記抜け止めパーツ２０に包囲して、前記同様に、ヘッドＨのテーパ孔８内に嵌合することにより、図１のライ角αよりも約０．５度〜３度小さなライ角αに調整したゴルフクラブ（ドライバー）１を容易に組み立てることができる。
尚、以上においては、底広凹部Ｃ１の中心軸とシャフトＳの中心軸とが一致する角度調整パーツ１１ａ，１１ｂの一組の他、底広凹部Ｃ２の中心軸とシャフトＳの中心軸とが一致しない角度調整パーツ１１ｃ，１１ｄの一組を予め用意するに留まったが、後者を二組（複数組）以上用意するようにしても良い。
【００２７】
図８は、ヘッドＨのテーパ孔８における前記凹溝９に替えて、当該テーパ孔８の中空部ｎ寄りの内壁面に、平坦面（断面非円形の接触面）８ａを形成すると共に、係る平坦面８ａに面接触する平坦面（断面非円形の接触面）１２ａを一方の角度調整パーツにおける側壁の外側に形成した角度調整体１０′を示す。係る平坦面８ａ，１２ａの面接触によっても、ヘッドＨと角度調整体１０′との回転を阻止することができる。
また、図８に示すように、角度調整体１０′を形成する一対の角度調整パーツの底広凹部には、先端にく字形凸面（断面非円形の接触面）ｑを有する垂直な凹部ｒが対称に突設されている。更に、シャフトＳに接着され且つ角度調整体１０′に包囲される抜け止めパーツ２０′の本体２１には、上記く字凸形面ｑに面接触するへ字凹形面（断面非円形の接触面）ｐが対称に突設される。図８に示すように、一対のく字形凸面ｑに一対のへ字凹形面ｐをそれぞれ面接触することでも、抜け止めパーツ２０′と角度調整体１０′との回転を阻止することができる。
【００２８】
更に、前記角度調整体１０ａ（１０ｂ）の底広凹部Ｃ２（Ｃ３）の中心軸の傾斜方向を、図９に示すように、ヘッドＨのフェース３とバックフェイス３′との方向に沿うようにして、前記抜け止めパーツ２０，２０′を包囲し且つテーパ孔８内に嵌合して固定ナット２６をネジ結合させることもできる。
この結果、図９に示すように、フェイス角βを当初の角度よりも、約０．５度〜３度左右方向に調整することが容易に行える。
【００２９】
加えて、前記角度調整体１０ａ（１０ｂ）の底広凹部Ｃ２（Ｃ３）の中心軸の傾斜方向を、図１０に示すように、ヘッドＨにおけるフェース３の斜め上方向またはバックフェイス３′の斜め下方向に沿うように、前記抜け止めパーツ２０，２０′を包囲し且つテーパ孔８内に嵌合して固定ナット２６をネジ結合させることもできる。この結果、図１０に示すように、ロフト角γを当初の状態よりも、上下方向に約０．５度〜３度調整することが容易に行える。尚、この場合、ロフト角γの調整と同時に、ライ角αも変化し得ることに、留意する必要がある。
【００３０】
本発明は、以上において説明した形態に限定されるものではない。
例えば、抜け止めパーツの本体の外形状は、円筒形の前記本体２１に限らず、四角筒形、六角筒形、または八角筒形としても良い。併せて、前記角度調整パーツ１１ａ，１１ｂなどの底広凹部ｃの内壁面に上記四角筒形などの少なくとも一面と面接触する平坦面（断面非円形の接触面）を形成することにより、前記凸条２３と凹溝１７とを省略できる。
また、前記角度調整パーツ１１ａ，１１ｂなどの合わせ面に設ける位置決めは、前記突起１８と凹部１９との組合せに限らず、一方の合わせ面に紐出し状の凸片と、他方の合わせ面に係る凸片を受け入れる段部との組合せとしても良い。
更に、固定ナットは、円筒形のナット本体に限らず、四角筒形、六角筒形、または八角筒形のナット本体を有するものでも良い。
尚、本発明は、その趣旨を逸脱しない種々に変更することが可能である。
【図面の簡単な説明】
【００３１】
【図１】本発明のゴルフクラブを示す一部に垂直断面を含む正面図。
【図２】上記ゴルフクラブを角度調整した図１と同様な正面図。
【図３】上記ゴルフクラブの構成材を示す分解斜視図。
【図４】上記ゴルフクラブに用いる一対の角度調整パーツを示す側面図。
【図５】図１中のＸ−Ｘ線に沿った矢視における部分断面図。
【図６】異なる角度調整パーツとこれを合体した角度調整体を示す概略図。
【図７】上記角度調整パーツと角度調整体とを１８０度回転した概略図。
【図８】異なる抜け止めパーツなどを示す図５と同様な断面図。
【図９】フェイス角を調整した上記クラブのヘッド付近を示す概略図。
【図１０】ロフト角を調整した上記クラブのヘッド付近を示す概略図。
【符号の説明】
【００３２】
１………………………ゴルフクラブ
２………………………ヘッド本体
４………………………ソール
６………………………ヒール
７………………………ホーゼル
８………………………テーパ孔
８ａ，１２ａ…………平坦面（非円形断面の接触面）
９，１７………………凹溝
１０,１０ａ,１０′…角度調整体
１１ａ〜１１ｄ………角度調整パーツ
１２……………………側壁（外側面）
１５……………………雄ネジ部
１６，２３……………凸条
１８……………………突起
１９……………………凹部
２０，２０′…………抜け止めパーツ
２１……………………本体
２２……………………リング部
２６……………………固定ナット
Ｈ………………………ヘッド
Ｓ………………………シャフト
ｐ，ｑ…………………へ字凹形面／く字凸形面（非円形断面の接触面）
【図１】
2006042950.tif 000003
【図２】
2006042950.tif 000004
【図３】
2006042950.tif 000005
【図４】
2006042950.tif 000006
【図５】
2006042950.tif 000007
【図６】
2006042950.tif 000008
【図７】
2006042950.tif 000009
【図８】
2006042950.tif 000010
【図９】
2006042950.tif 000011
【図１０】
2006042950.tif 000012